(57)【要約】  【課題】外枠と蓋体側の内枠との間の隙間に対する閉塞性に優れ、蓋体を開けたときに入り込むゴミ、塵埃等に対する前記隙間のクリーニング性に優れ、さらには外枠に対する蓋体の開閉が容易なフロアハッチを提供することを目的とする。  【解決手段】本発明は上記目的を達成するために、外枠５の内面５ａ及び内枠６の外面６ａを、それぞれ外枠５の上端内側縁５ｃ及び内枠６の上端外側縁６ｃから所要の異なる角度で保守点検口４の内側方向に傾斜させることにより、外枠５の内面５ａと内枠６の外面６ａとの間をテーパ隙間１４Ａとするとともに外枠５の上端内側縁５ｃと内枠６の上端外側縁６ｃとが線接触する線接触部１５Ａを形成し、この線接触部１５Ａによりテーパ隙間１４Ａの上端を閉塞するようにしたフロアハッチを提供するものである。【選択図】図１
2010265722.tif 000002
【特許請求の範囲】
【請求項１】
フロアに方形状に開口された保守点検口を縁取る外枠と、該外枠の内面に内枠の外面部分で係脱自在に嵌合して前記保守点検口を開閉する蓋体とを備えたフロアハッチにおいて、
前記外枠の内面及び内枠の外面を、それぞれ外枠の上端内側縁及び内枠の上端外側縁から所要の異なる角度で前記保守点検口の内側方向に傾斜させることにより、前記外枠の内面と前記内枠の外面との間をテーパ隙間とするとともに前記外枠の上端内側縁と前記内枠の上端外側縁とが線接触する線接触部を形成し、該線接触部により前記テーパ隙間の上端を閉塞するようにしたことを特徴とするフロアハッチ。
【請求項２】
上記外枠の上端内側縁もしくは上記内枠の上端外側縁から適宜の下方部位において上記テーパ隙間を形成している上記外枠の内面及び上記内枠の外面を上記保守点検口の内側方向に屈曲させてアールをつけたアール屈曲面部とし、該アール屈曲面部において他の線接触部を形成したことを特徴とする請求項１記載のフロアハッチ。
【請求項３】
上記アール屈曲面部を経た後のテーパ隙間は、上記外枠の内面をフロア面に直交させ、上記内枠の外面は前記外枠の内面に対し上記保守点検口の内側方向に所要角度傾斜させることにより形成されていることを特徴とする請求項１又は２記載のフロアハッチ。
【発明の詳細な説明】
【技術分野】
【０００１】
本発明は、フロアハッチに関するものであり、特に、外枠と蓋体側の内枠との間の隙間に対する閉塞性を向上させることが可能なフロアハッチに関するものである。
【背景技術】
【０００２】
一般に、電気配線、電話線、ガス管、水道管等は建物のフロア下に敷設され、フロアには、これら電気配線類、配管類の点検のためにフロアハッチにより開閉される保守点検口が設けられている。この種のフロアハッチは、保守点検口を縁取って補強する外枠体と、この外枠体に係脱自在に嵌合する蓋体側の内枠体とで主要部が構成されている。しかしながら、このようなフロアハッチでは、外枠体と内枠体の間に存在する隙間に靴等に付着した砂や土あるいは塵埃等が入り込んで隙間が詰まり、蓋体即ちフロアハッチが開かなくなることがしばしば起きる。
【０００３】
これに対する従来技術として、例えば、次のようなフロアハッチが知られている。このフロアハッチは、外枠体の内側に、箱形状をなす蓋体を前記外枠体の内側面下端に突設した受止片部に支持させて装着するとともに、蓋体側の各側壁材（内枠体）の上端外側に水平鍔部を突設し、該水平鍔部の先端部を外枠体の上端内側縁に設けた切欠段部に、その上面が面一となる状態に衝止させることにより、外枠体と蓋体側の側壁材との間に存在する隙間の上端を閉塞させるようにしている（例えば、特許文献１参照）。
【先行技術文献】
【特許文献】
【０００４】
【特許文献１】特開平９−１０５２２７号公報
【発明の概要】
【発明が解決しようとする課題】
【０００５】
特許文献１に記載の従来技術においては、蓋体の下端を外枠体の内側面下端に設けた受止片部に支持させて装着するとともに、この蓋体下端の支持状態において、該蓋体の上端外側に設けた水平鍔部の先端部を外枠体の上端内側縁に設けた切欠段部に上下方向に面接触させることで、外枠体と蓋体側の側壁材との間に存在する隙間の上端を閉塞させるようにしている。しかしながら、水平鍔部の先端部と切欠段部との上下方向の面接触による隙間上端の閉塞態様では、蓋体下端の支持状態の僅かな変動もしくはフロアハッチ近辺の歩行荷重等により、前記面接触による閉塞部に、なお隙間が生じるおそれがある。また、点検時に蓋体を開けたとき、その開けた隙間から多少なりともゴミ、塵埃等が入り込むことがあるが、この入り込んだゴミ、塵埃等が外枠体の上端内側縁に設けた切欠段部に溜まってクリーニング性が劣化するおそれがある。
【０００６】
そこで、外枠と蓋体側の内枠との間の隙間に対する閉塞性に優れ、蓋体を開けたときに入り込むゴミ、塵埃等に対する前記隙間のクリーニング性に優れ、さらには外枠に対する蓋体の開閉が容易なフロアハッチとするために解決すべき技術的課題が生じてくるのであり、本発明はこの課題を解決することを目的とする。
【課題を解決するための手段】
【０００７】
本発明は上記目的を達成するために提案されたものであり、請求項１記載の発明は、フロアに方形状に開口された保守点検口を縁取る外枠と、該外枠の内面に内枠の外面部分で係脱自在に嵌合して前記保守点検口を開閉する蓋体とを備えたフロアハッチにおいて、前記外枠の内面及び内枠の外面を、それぞれ外枠の上端内側縁及び内枠の上端外側縁から所要の異なる角度で前記保守点検口の内側方向に傾斜させることにより、前記外枠の内面と前記内枠の外面との間をテーパ隙間とするとともに前記外枠の上端内側縁と前記内枠の上端外側縁とが線接触する線接触部を形成し、該線接触部により前記テーパ隙間の上端を閉塞するようにしたフロアハッチを提供する。
【０００８】
この構成によれば、各上端縁で緊密に線接触している外枠の内面と内枠の外面とは、その各上端縁から所要の異なる角度で同方向（保守点検口の内側方向）に傾斜している。歩行荷重等により外枠下部による蓋体の支持状態に僅かな変動等が生じたとき、外枠の上端内側縁が上記内枠の外面を、又は内枠の上端外側縁が上記外枠の内面を相対的に微動することで、線接触部の線接触状態はそのまま保持されて、テーパ隙間上端の閉塞性が保持される。
【０００９】
請求項２記載の発明は、請求項１記載の発明において、上記外枠の上端内側縁もしくは上記内枠の上端外側縁から適宜の下方部位において上記テーパ隙間を形成している上記外枠の内面及び上記内枠の外面を上記保守点検口の内側方向に屈曲させてアールをつけたアール屈曲面部とし、該アール屈曲面部において他の線接触部を形成したフロアハッチを提供する。
【００１０】
この構成によれば、外枠及び内枠の各上端縁部における線接触部に加えて、その各上端縁から適宜の下方部位において他の線接触部を形成したことでテーパ隙間上部側の閉塞性が一層確実に保持される。また、点検時に蓋体を開けたとき、その開けた隙間から多少のゴミ、塵埃等が入り込んだとしても、そのゴミ、塵埃等はアール屈曲面部を滑り落ちる。したがって外枠と内枠との間の隙間に対するクリーニングが容易になる。
【００１１】
請求項３記載の発明は、請求項１又は２記載の発明において、上記アール屈曲面部を経た後のテーパ隙間は、上記外枠の内面をフロア面に直交させ、上記内枠の外面は前記外枠の内面に対し上記保守点検口の内側方向に所要角度傾斜させることにより形成されているフロアハッチを提供する。
【００１２】
この構成によれば、アール屈曲面部を経た後のテーパ隙間における外枠の内面をフロア面に直交、即ち垂直にしたことで、点検時に蓋体を開けたときに入り込んだゴミ、塵埃等がアール屈曲面部に続く外枠の内面を一層容易に滑り落ちて外枠と内枠との間の隙間に対するクリーニングが、さらに容易になる。また、テーパ隙間は、内枠の外面側を保守点検口の内側方向に所要角度傾斜させたことで、蓋体下端の面積が、外枠で仕切られる保守点検口の開口面積に対して狭くなり、蓋体の開閉が容易になる。
【発明の効果】
【００１３】
請求項１記載の発明は、歩行荷重等により外枠下部による蓋体の支持状態に僅かな変動等が生じても、線接触部の線接触状態はそのまま保持されることから、外枠と蓋体側内枠との隙間上端に対し優れた閉塞性を得ることができる。したがって、外枠と内枠との隙間にゴミ、塵埃等が入り込むことによる蓋体と外枠との齧り付きを防ぐことができるという利点がある。
【００１４】
請求項２記載の発明は、請求項１記載の発明の効果に加えてさらに、線接触部を、外枠及び内枠の上端縁部と、その上端縁から適宜の下方部位とに、二重に形成したことでテーパ隙間上部側を一層確実に閉塞することができる。また、点検時に蓋体を開けたとき多少のゴミ、塵埃等が入り込んだとしても、そのゴミ、塵埃等はアール屈曲面部を滑り落ちるので、外枠と内枠間の隙間に対するクリーニング性を高めることができるという利点がある。
【００１５】
請求項３記載の発明は、請求項１又は２記載の発明の効果に加えてさらに、アール屈曲面部を経た後のテーパ隙間における外枠の内面側を垂直にしたことで、点検時に蓋体を開けたときに入り込んだゴミ、塵埃等がアール屈曲面部に続く外枠の内面を一層容易に滑り落ちて外枠と内枠間の隙間に対するクリーニング性を一層高めることができる。また、前記テーパ隙間は、内枠の外面側が保守点検口の内側方向に所要角度傾斜しているので、蓋体下端の面積が、外枠で仕切られる保守点検口の開口面積に対して狭くなり、蓋体の開閉を容易に行うことができるという利点がある。
【図面の簡単な説明】
【００１６】
図は本発明の実施例に係るフロアハッチを示すものである。
【図１】外枠と内枠間のテーパ隙間部分を示す縦断面図。
【図２】テーパ隙間及びアール屈曲面部を説明するための拡大図。
【図３】フロアハッチの一部切欠平面図。
【図４】外枠及び内枠の各頂部に化粧板を被装した例を示す断面図。
【発明を実施するための形態】
【００１７】
本発明は、外枠と蓋体側の内枠との間の隙間に対する閉塞性に優れ、蓋体を開けたときに入り込むゴミ、塵埃等に対する前記隙間のクリーニング性に優れ、さらには外枠に対する蓋体の開閉が容易なフロアハッチとするという目的を達成するために、フロアに方形状に開口された保守点検口を縁取る外枠と、該外枠の内面に内枠の外面部分で係脱自在に嵌合して前記保守点検口を開閉する蓋体とを備えたフロアハッチにおいて、前記外枠の内面及び内枠の外面を、それぞれ外枠の上端内側縁及び内枠の上端外側縁から所要の異なる角度で前記保守点検口の内側方向に傾斜させることにより、前記外枠の内面と前記内枠の外面との間をテーパ隙間とするとともに前記外枠の上端内側縁と前記内枠の上端外側縁とが線接触する線接触部を形成し、該線接触部により前記テーパ隙間の上端を閉塞するようにして実現した。
【実施例１】
【００１８】
以下、本発明の好適な実施例を図１乃至図３を参照して説明する。まず、本実施例に係るフロアハッチの構成を説明する。図１に示すように、フロアハッチ１は、コンクリート床２の上方に形成されたフロア３に方形状に開口された保守点検口４（図３参照）を縁取る外枠５と、該外枠５の内面５ａに内枠６の外面６ａ部分で係脱自在に嵌合するとともに該内枠６の上部内側にフロア板７が取着されて前記保守点検口４を開閉する蓋体８とを主要部として構成されている。
【００１９】
外枠５の下端内側には支持部９が突設され、これに対応して内枠６の下端には被支持部１０が形成されている。該被支持部１０の下面にはゴム材等からなる緩衝体１１が取付けられ、蓋体８は保守点検口４の閉止時に内枠６下端の被支持部１０が緩衝体１１を介して外枠５下端の支持部９により支持される。該緩衝体１０により、フロア板７に掛かる歩行荷重が緩衝されるとともに支持部９と被支持部１０との直接接触による異音の発生が防止される。
【００２０】
図３に示すように、前記外枠５及び内枠６は、アルミニウム押出材の押出し成形により形成された各４個の外枠材５ｂ及び内枠材６ｂをそれぞれ方形状に連結することにより形成されている。即ち、外枠５は４個の外枠材５ｂを突合わせ、各突合わせ部の外側面にＬ字形の接続ブラケット１２を重ね合わせてネジ止めすることにより形成されている。また内枠６は４個の内枠材６ｂを突合わせ、各突合わせ部の内側面にＬ字形の接続ブラケット１３を重ね合わせてネジ止めすることにより形成されている。
【００２１】
そして、上述のような外枠５と内枠６との間の隙間にゴミ、塵埃等が入り込むことによる蓋体８と外枠５との齧り付きを防ぐため、本実施例では、次のような手段が講じられている。これを図１及び図２の拡大図を用いて説明する。
【００２２】
即ち、外枠５と内枠６との間の隙間を形成している外枠５の内面５ａ及び内枠６の外面６ａが、それぞれ外枠５の上端内側縁５ｃ及び内枠６の上端外側縁６ｃから所要の異なる角度α１及びα２で保守点検口４の内側方向に傾斜され、該外枠５の内面５ａと内枠６の外面６ａとの間がテーパ隙間１４Ａとされるとともに外枠５の上端内側縁５ｃと内枠６の上端外側縁６ｃとが線接触して第１の線接触部１５Ａが形成されている。該第１の線接触部１５Ａにより前記テーパ隙間１４Ａの上端が閉塞されている。
【００２３】
また、前記外枠５の上端内側縁５ｃもしくは内枠６の上端外側縁６ｃから適宜量下がった下方部位において前記テーパ隙間１４Ａを形成している外枠５の内面５ａ及び内枠６の外面６ａが保守点検口４の内側方向に屈曲されてアールをつけたアール屈曲面部１６が形成され、該アール屈曲面部１６において第２の線接触部１５Ｂが形成されている。前記第１の線接触部１５Ａと該第２の線接触部１５Ｂとで、外枠５と内枠６間の隙間における上部側が二重に閉塞されている。
【００２４】
前記アール屈曲面部１６を経た後のテーパ隙間１４Ｂは、外枠５の内面５ａがフロア３面に直交し、内枠６の外面６ａが外枠５の内面５ａに対し保守点検口４の内側方向に所要角度α３傾斜することにより形成されている。
【００２５】
図４は、外枠５及び内枠６の各頂部にそれぞれステンレス製の化粧板１７ａ，１７ｂを被装して、アルミニウムの押出し成形材からなる外枠５及び内枠６の各頂部を意匠的に仕上げた例を示している。この例の場合においても、外枠５の上端内側縁５ｃ及び内枠６の上端外側縁６ｃに相当する化粧板１７ａの上端内側縁と化粧板１７ｂの上端外側縁とが線接触して第１の線接触部１５Ａが形成され、該第１の線接触部１５Ａから適宜量下がった下方部位に第２の線接触部１５Ｂが形成されていることは、前記と同様である。
【００２６】
次に、上述のように構成されたフロアハッチ１の作用を説明する。第１の線接触部１５Ａ直ぐ下方の外枠５の内面５ａと内枠６の外面６ａとは、その線接触している外枠５の上端内側縁５ｃ及び内枠６の上端外側縁６ｃから、それぞれ所要の異なる角度α１及びα２で同方向（保守点検口４の内側方向）に傾斜している。蓋体８におけるフロア板７への歩行荷重等により外枠５下端の支持部９による蓋体８の支持状態に僅かな変動等が生じたとき、外枠５の上端内側縁５ｃが前記内枠６の外面６ａを、又は内枠６の上端外側縁６ｃが前記外枠５の内面５ａを相対的に微動する。この結果、第１の線接触部１５Ａの線接触状態はそのまま保持されて、テーパ隙間１４Ａ上端の閉塞性が保持される。
【００２７】
また、外枠５の上端内側縁５ｃと内枠６の上端外側縁６ｃとの線接触による第１の線接触部１５Ａに加えて、その各上端縁５ｃ，６ｃから適宜量下方のアール屈曲面部１６において第２の線接触部１５Ｂが形成され、線接触部が二重に形成されていることでテーパ隙間１４Ａ，１４Ｂ上部側の閉塞性が一層確実に保持される。
【００２８】
さらに、点検時に蓋体８を開けたとき、その開けた隙間から多少のゴミ、塵埃等が入り込んだとしても、そのゴミ、塵埃等はアール屈曲面部１６及び該アール屈曲面部１６に続くテーパ隙間１４Ｂにおける垂直形成面である外枠５の内面５ａを滑り落ちる。したがって外枠５と内枠６との間の隙間に対するクリーニングが容易になる。
【００２９】
前記アール屈曲面部１６に続く下方側のテーパ隙間１４Ｂは、内枠６の外面６ａ側を保守点検口４の内側方向に所要角度α３傾斜させて形成されていることで、蓋体８下端の面積が、外枠５で仕切られている保守点検口４の開口面積に対し狭くなり、該蓋体８の開閉が容易になる。
【００３０】
そして、点検時には、蓋体８を外して保守点検口４を開け、電話線、電気配線等の配線類１８、及び水道管、ガス管等の配管類１９の点検が行われる。
【００３１】
上述したように、本実施例に係るフロアハッチ１においては、蓋体８におけるフロア板７への歩行荷重等により外枠５下端の支持部９による蓋体８の支持状態に僅かな変動等が生じても、第１の線接触部１５Ａの線接触状態はそのまま保持されることから、外枠５の内面５ａと内枠６の外面６ａとの間の隙間上端に対し優れた閉塞性を得ることができる。したがって、外枠５の内面５ａと内枠６の外面６ａとの間の隙間にゴミ、塵埃等が入り込むことによる蓋体８と外枠５との齧り付きを防ぐことができる。
【００３２】
線接触部を、外枠５の上端内側縁５ｃと内枠６の上端外側縁６ｃとの間の第１の線接触部１５Ａと、その各上端縁５ｃ，６ｃから適宜量下方のアール屈曲面部１６における第２の線接触部１５Ｂとの２箇所に形成したことでテーパ隙間１４Ａ，１４Ｂ上部側を一層確実に閉塞することができる。
【００３３】
点検時に蓋体８を開けたとき多少のゴミ、塵埃等が入り込んだとしても、そのゴミ、塵埃等はアール屈曲面部１６及び該アール屈曲面部１６に続くテーパ隙間１４Ｂにおける垂直形成面である外枠５の内面５ａを滑り落ちるので、外枠５の内面５ａと内枠６の外面６ａとの間の隙間に対するクリーニング性を高めることができる。
【００３４】
また、テーパ隙間１４Ｂは、内枠６の外面６ａ側が保守点検口４の内側方向に所要角度α３傾斜して形成されているので、蓋体８下端の面積が、外枠５で仕切られる保守点検口４の開口面積に対して狭くなり、該蓋体８の開閉を容易に行うことができる。
【００３５】
なお、本発明は、本発明の精神を逸脱しない限り種々の改変をなすことができ、そして、本発明が該改変されたものにも及ぶことは当然である。
【産業上の利用可能性】
【００３６】
ハッチを仕切る枠体と蓋体との間に生じる隙間の上端部に対する優れた閉塞性を有して、前記隙間にゴミ、塵埃等が入り込むことによる蓋体とハッチとの齧り付きを防止することが不可欠であるとともにハッチに対する蓋体の開閉容易性が必要な用途に適用することが可能である。
【符号の説明】
【００３７】
１            フロアハッチ
２            コンクリート床
３            フロア
４            保守点検口
５            外枠
５ａ          外枠の内面
５ｃ          外枠の上端内側縁
６            内枠
６ａ          内枠の外面
６ｃ          内枠の上端外側縁
７            フロア板
８            蓋体
９            支持部
１０            被支持部
１１            緩衝体
１２            接続ブラケット
１３            接続ブラケット
１４Ａ，１４Ｂ  テーパ隙間
１５Ａ          第１の線接触部
１５Ｂ          第２の線接触部
１６            アール屈曲面部
１７ａ，１７ｂ  化粧板
１８            配線類
１９            配管類
【図１】
2010265722.tif 000003
【図２】
2010265722.tif 000004
【図３】
2010265722.tif 000005
【図４】
2010265722.tif 000006